(57)【特許請求の範囲】
【請求項１】
上下に対向状に配置される横板部材と、左右に対向状に配置される縦板部材と、各コーナ部に配置されるＬ形に形成された接合部材と、前枠取付用の上下の固定ヒンジ金具とを備えており、前記各接合部材を成形品によって形成し、それらの接合部材に前記横板部材及び前記縦板部材を接合することによって枠本体を構成する一方、前記上下の固定ヒンジ金具を、前記接合部材のうちの左側の上下の接合部材に設けたヒンジ取付部に取付可能とされており、
前記左側の接合部材のうちの上側の接合部材は、前記ヒンジ取付部として前面側が開放されたＬ形の取付孔を備えるとともに、該取付孔の側面部には位置決め用の切欠が形成されており、
前記上側の固定ヒンジ金具は、前記接合部材の取付孔に差込可能なＬ形の差込部を備えるとともに、該差込部の側面部には前記接合部材に形成された切欠に対応する位置に、位置決め用の突起が設けられており、
前記接合部材の取付孔内に前記上側の固定ヒンジ金具の差込部を差し込んで接合手段で固定する際に、前記固定ヒンジ金具の突起が前記接合部材の切欠に係合して位置決めされる構成としたことを特徴とするパチンコ機用の外枠。
【請求項２】
請求項１に記載のパチンコ機用の外枠であって、左側の接合部材のうちの下側の接合部材は、前記ヒンジ取付部として取付ブラケットを備えており、前記下側の固定ヒンジ金具は、上端側に設けた係止片を前記接合部材に係止した状態で、下端部側が前記取付ブラケットに対して接合手段で固定可能とされていることを特徴とするパチンコ機用の外枠。
【発明の詳細な説明】
【０００１】
【発明の属する技術分野】
この発明は、パチンコ機用の外枠に関する。
【０００２】
【従来の技術】
従来のパチンコ機の外枠は、木製が一般的であり、上下に対向状に配置される横枠板と、左右に対向状に配置される縦枠板とを枠組みすることによって、縦方向（高さ方向）に長い枠状に形成されている。また、外枠の前面における一側（一般には左側）には、遊技盤が一体的に組み付けられた前枠を開閉可能に取り付けるためのヒンジ金具が取り付けられている。
【０００３】
【発明が解決しようとする課題】
ところで、上述した従来のパチンコ機用の外枠においては、木材を加工して形成した横枠板と縦枠板とを枠組みして形成する方式のため、寸法精度にばらつきが発生し易く、それは外枠に後付けされる上下のヒンジ金具の取付位置に関する精度にも影響する。とりわけ、ヒンジ金具に関しては、パチンコ機のメーカー毎でその種類（回動中心となるピン又はピン孔の位置やサイズ等）がそれぞれ異なることから、寸法精度に関する管理が難しいという問題がある。
【０００４】
本発明は、上述した従来の事情に鑑みてなされたものであり、その目的とするところは、木製の外枠に比べて寸法精度の高いパチンコ機用の外枠を提供することにある。
【０００５】
【課題を解決するための手段】
上記課題を達成するため、本発明に係るパチンコ機用の外枠は、特許請求の範囲の各請求項に記載の通りの構成を備えた。請求項１に記載の発明においては、上下に対向状に配置される横板部材と、左右に対向状に配置される縦板部材と、各コーナ部に配置されるＬ形に形成された接合部材と、前枠取付用の上下の固定ヒンジ金具とを備えており、前記各接合部材を成形品によって形成し、それらの接合部材に前記横板部材及び前記縦板部材を接合することによって枠本体を構成する一方、前記上下の固定ヒンジ金具を、前記接合部材のうちの左側の上下の接合部材に設けたヒンジ取付部に取付可能とされており、前記左側の接合部材のうちの上側の接合部材は、前記ヒンジ取付部として前面側が開放されたＬ形の取付孔を備えるとともに、該取付孔の側面部には位置決め用の切欠が形成されており、前記上側の固定ヒンジ金具は、前記接合部材の取付孔に差込可能なＬ形の差込部を備えるとともに、該差込部の側面部には前記接合部材に形成された切欠に対応する位置に、位置決め用の突起が設けられており、前記接合部材の取付孔内に前記上側の固定ヒンジ金具の差込部を差し込んで接合手段で固定する際に、前記固定ヒンジ金具の突起が前記接合部材の切欠に係合して位置決めされる構成としたことを特徴とする。すなわち、請求項１に記載の発明によれば、接合部材を成形品によって形成することで、寸法精度の高い接合部材を得ることが可能となり、その接合部材を基準として、それに横板部材及び縦板部材を接合し、またヒンジ金具を取り付ける構成のため、外枠の枠本体の寸法精度及びヒンジ金具の取付位置の精度を向上することが可能となる。
また、所定の結合強度を確保した上で、その取付けを容易に行うことができる。
ここで、成形品とは、いわゆる「型」を用いて成形されたものを指し、その材料については特に限定するものではない。
【０００６】
請求項２に記載したように、下側の固定ヒンジ金具については、係止片を接合部材に係止した状態で、接合部材に設けた取付ブラケットに接合手段にて固定する構成とすることが好ましい。このような構成を採用すれば、簡単な構造でありながら、接合部材に対し下側の固定ヒンジ金具を強固に固定することができる。
【０００７】
【発明の実施の形態】
次に、本発明の実施の形態を図１〜図１０に基づいて説明する。図１は本実施の形態に係るパチンコ機用の外枠を示す斜視図である。図２〜図５はそれぞれ外枠構成部材における接合対象部材同士を分解した状態で示す斜視図である。
図１に示すように、パチンコ機用の外枠は、縦長の矩形枠状をなす枠本体１を有する。この枠本体１は、対向状に配置される上下２本の横板部材２と、対向状に配置される左右２本の縦板部材３と、それら両部材２，３を接合するためのコーナ部に配置される４個のＬ形に形成された接合部材４とによって縦長の矩形枠状に形成されている。そして、上述した外枠の構成部材は、その全てが金属製、例えばアルミ合金によって製作されている。
【０００８】
４個の接合部材４は、水平部４１及び垂直部４２を有している。水平部４１及び垂直部４２は、図２〜図５に示すように、共に前後方向に長い矩形断面構造の角筒形に形成されるとともに、その前面及び後面には長手方向（筒孔方向）に所定長さで延びるスリット４１ａ，４２ａが形成されている。このような構造の接合部材４は、精密鋳造法として知られるダイカストによって製作される成形品である。
【０００９】
横板部材２は、図２及び図３に示すように、接合部材４の水平部４１の筒孔内に嵌入し得るように、該水平部４１よりも一回り小さい略Ｃ形断面構造の角筒形、すなわち、一面に長手方向の全長に亘って延びる開口２ｂを有した角筒形に形成されるとともに、前後両面には、水平部４１のスリット４１ａに対応する突条２ａを長手方向の全長に亘って備えている。
また、同様に、縦板部材３は、図４及び図５に示すように、接合部材４の垂直部４２の筒孔内に嵌入し得るように、該垂直部４２よりも一回り小さい略Ｃ形断面構造の角筒形、すなわち、一面に長手方向の全長に亘って延びる開口３ｂを有した角筒形に形成されるとともに、前後両面には、垂直部４２のスリット４２ａに対応する突条３ａを長手方向の全長に亘って備えている。
すなわち、横板部材２と縦板部材３は、長さを除いては、同一形状に形成されており、アルミ合金をダイスを通して押し出して成形する押し出し法によって製作される成形品である。
【００１０】
そして、上下２本の横板部材２は、開口２ｂを内側に向けた状態でその左右両端部が接合部材４における水平部４１の筒孔内に差し込まれ、接合手段としてのネジ５によって固定される。また、同様の要領で、左右２本の縦板部材３は、開口３ｂを内側に向けた状態でその上下両端部が接合部材４における垂直部４２の筒孔内に差し込まれ、接合手段としてのネジ６によって固定される。
【００１１】
この場合、横板部材２の突条２ａ及び縦板部材３の突条３ａは、それぞれ水平部４１のスリット４１ａ、垂直部４２のスリット４２ａに係合される。そして、スリット４１ａ，４２ａの端部に突条２ａ，３ａの端部が当接することで横板部材２及び縦板部材３の嵌め込み深さが規制される。すなわち、接合部材４に対して横板部材２及び縦板部材３がそれぞれ位置決めされる。この位置決め状態で、接合部材４における水平部４１及び垂直部４２と、横板部材２及び縦板部材３の端部に、それぞれ形成されたネジ止め用の取付孔４１ｂ，４２ｂ，２ｃ，３ｃを通してネジ５，６による枠外周側からの固定がなされ、かくして、規定寸法の横幅と高さを有する外枠の枠本体１が組み付けられる。
【００１２】
上記のように構成される枠本体１の一側、例えば左側の上下部には、図１０に示すように、遊技盤（図示省略）が一体に組み付けられた前枠１５を開閉可能に取り付けるために、固定側の上下２個の固定ヒンジ金具７，８が装着される。以下、固定ヒンジ金具７，８の取付構造を説明する。
図６は接合部材４に対する上側の固定ヒンジ金具７の取付構造を分解状態で示す斜視図である。図示のように、左上側の接合部材４の屈曲部には、前面側を開放した正面視で略Ｌ形の取付孔（差込口）４ａが形成され、取付孔４ａの側面部には、位置決め用の矩形の切欠４ｂが形成されている。この取付孔４ａが本発明でいうヒンジ取付部に対応する。また、接合部材４の水平部４１側と垂直部４２側にはそれぞれネジ９の通し孔４ｃが形成されている。
【００１３】
上側の固定ヒンジ金具７は、差込部７１と、ヒンジ部７２を一体に備えたアルミ合金からなる一体成形品であり、ダイカストによって製作されている。差込部７１は接合部材４の取付孔４ａに対応するよう断面形状が略Ｌ形に形成されており、側面部には取付孔４ａの切欠４ｂに対応する位置決め用の突起７１ａとネジ孔７１ｂが設けられている。また、ヒンジ部７２は、その先端下面に図１０に示す前枠１５に取り付けられた上側の可動ヒンジ金具１６のピン１６ａが嵌入可能なピン受け７２ａを有している。
【００１４】
上記ように構成される固定ヒンジ金具７は、メーカー毎に準備される。すなわち、ヒンジ部７２におけるピン受け７２ａの大きさや位置に関しては、メーカー毎で形成されるが、差込部７１については、各メーカー共通となっている。図６には、例示的に２種類の固定ヒンジ金具７が示されている。
上記のように構成される固定ヒンジ金具７は、メーカー毎に対応したものが準備（製作）される。そして、その中から選択された固定ヒンジ金具７は、その差込部７１を接合部材４の取付孔４ａ内に差し込むとともに、突起７１ａを切欠４ｂに係合して位置決めした状態で、ネジ９によって水平方向と垂直方向との両方向から締着される。かくして、固定ヒンジ金具７は、接合部材４に対して強固に固定される。
【００１５】
図７は下側の固定ヒンジ金具の取付構造を正面側から見た分解斜視図、図８は同じく背面側から見た分解斜視図、更に図９は組付け状態を背面側から見た斜視図である。図示のように、左下側の接合部材４には、屈曲部の内周側にネジ止め用の横孔４ｆを有する２枚の板状の取付ブラケット４ｅが形成されており、この取付ブラケット４ｅが本発明でいうヒンジ取付部に対応する。
【００１６】
下側の固定ヒンジ金具８は、取付部８１、フック部８２、当接部８３及びヒンジ部８４を一体に備えたアルミ合金からなる一体成形品であり、ダイカストによって製作されている。フック部８２の横幅は、縦板部材３の開口３ｂの幅内に納まり得るサイズに設定されている。これは、フック部８２を開口３ｂのスペースを利用して取り付けるためである。また、取付部８１はフック部８２の下方に配置されており、その下端部には横孔８１ａが設けられている。また、ヒンジ部８４は、その先端上面に図１０に示す前枠１５に取り付けられた下側の可動ヒンジ金具１７のピン孔１７ａに嵌入可能なピン８４ａを有している。
【００１７】
上記のように構成される下側の固定ヒンジ金具８は、上側の固定ヒンジ金具７の場合と同様に、メーカー毎に準備され、ヒンジ部８４に関しては、メーカー毎で形成されるが、それ以外の取付部に関する部分については、各メーカー共通構造となっている。図７〜図９には、一例として１種類の固定ヒンジ金具８が示されている。
そして、下側の固定ヒンジ金具８は接合部材４の屈曲部内周側に配置されるように取り付けられる。すなわち、図９に示すように、フック部８２を接合部材４の垂直部４２における筒孔内に差し込むようにして内周側の壁板に係止する。このとき、取付部８１の下端部が２枚の取付ブラケット４ｅ間に差し込まれ、また当接部８３が垂直部４２の前面に突き当てられる。その状態でネジ１０を取付ブラケット４ｅの横孔４ｆ及び取付部８１の横孔８１ａに通して締着する。かくして、固定ヒンジ金具８は接合部材４に強固に固定される。
なお、上記の組付け時において、図９に仮想線で示す如く接合部材４に対して縦板部材３が先行して接合されている場合であっても、該縦板部材３の開口３ｂのスペースを利用してフック部８２を係止することができる。
【００１８】
上記のように、本実施の形態においては、上下２本の横板部材２と、左右２本の縦板部材３と、それら両部材２，３を接合する４個のＬ形をなす接合部材４とによって枠本体１を構成するとともに、接合部材４をアルミ合金からなる成形品によって形成している。このことによって、寸法精度の高い接合部材４を得ることが可能となり、その接合部材４を基準とし、それに横板部材２及び縦板部材３をそれぞれ嵌合し、また固定ヒンジ金具７，８を取り付ける構成のため、外枠の枠本体１の寸法精度及び固定ヒンジ金具７，８の取付位置の精度を向上することが可能となり、品質の向上が達成される。
また、本実施の形態では、接合部材４のみならず、横板部材２、縦板部材３及び固定ヒンジ金具７，８をそれぞれ成形品によって形成したので、それらについても寸法精度の高いものを得ることができる。
【００１９】
また、本実施の形態においては、上下２本の横板部材２と、左右２本の縦板部材３と、それら両部材２，３を接合する４個のＬ形をなす接合部材４とによって枠本体１を構成したことによって、これら枠本体１を構成する部品を規格化することが可能となり、部品管理が頗る容易化される。
【００２０】
更には、本実施の形態に係る外枠は、枠本体１を構成する部品をアルミ合金製としている。このため、従来の木製の機枠に比べて強度的に優れたものとなり、耐用年数が格段に延長される。このため、パチンコ機が使用期間の経過に伴い廃棄処分される場合においては、そのパチンコ機から取り外して再使用することが可能となるが、その再使用時において、固定ヒンジ金具７，８を適宜差し替えることによって、異なるメーカーにも対応することができるし、また枠本体１を構成する部品の一部に損傷があれば、それを交換することで対応できる。
【００２１】
なお、本発明は実施の形態に限定されるものではなく、その要旨を逸脱しない範囲内で適宜変更することが可能である。
例えば、本実施の形態では、横板部材２、縦板部材３、接合部材４及び上下の固定ヒンジ金具７，８の全ての部材について、アルミ合金からなる成形品で成形する場合で説明したが、上記部材のうちの少なくとも接合部材４が成形品で形成されていればよい。その場合、接合部材４を基準としてその他の部材を組み付けることで、寸法精度の高い枠本体１を得ることが可能となる。
また、成形品としては、アルミ合金に限定されるものではないし、成型法としてもダイカストや押し出し法に限られるものではない。例えば、鉄板製であってもよく、その場合にはプレスによる成形が可能であり、更には樹脂製であれば、射出成形、ブロー成形等、様々な成形が可能であり、要するに型を用いて成形されるものであればよい。
【００２２】
また、本実施の形態では、接合部材４の筒孔内に対して横板部材２及び縦板部材３を嵌め込んで接合する構成としたが、接合部材４の外面に横板部材２及び縦板部材３を嵌合する構成でもよいし、あるいは接合部材４に、例えば平面あるいは凹状の組付け基準面を設定し、その基準面に横板部材２及び縦板部材３を重ねてネジ等の接合手段で接合する構成に変更してもよい。更には、接合部材４に横板部材２、縦板部材３及び固定ヒンジ金具７，８を接合する手段は、ネジに限られるものではない。
【００２３】
【発明の効果】
以上詳述したように、本発明によれば、従来の木製の機枠に比べて寸法精度の高いパチンコ機用の外枠を提供することができる。
【図面の簡単な説明】
【図１】本実施の形態に係るパチンコ機用の外枠を示す斜視図である。
【図２】上側の横板部材と接合部材とを分解して示す斜視図である。
【図３】下側の横板部材と接合部材とを分解して示す斜視図である。
【図４】左側の縦板部材と接合部材とを分解して示す斜視図である。
【図５】右側の縦板部材と接合部材とを分解して示す斜視図である。
【図６】上側の固定ヒンジ金具の取付構造を示す分解斜視図である。
【図７】下側の固定ヒンジ金具の取付構造を正面側から見た分解斜視図である。
【図８】下側の固定ヒンジ金具の取付構造を背面側から見た分解斜視図である。
【図９】下側の固定ヒンジ金具の組付け状態を背面側から見た斜視図である。
【図１０】外枠に前枠を組み付けた状態の斜視図である。
【符号の説明】
１     枠本体
２     横板部材
３     縦板部材
４     接合部材
４ａ   取付孔
４ｅ   取付ブラケット
７     固定ヒンジ金具
８     固定ヒンジ金具
４１   水平部
４２   垂直部
【図１】
0004004728.tif 000002
【図２】
0004004728.tif 000003
【図３】
0004004728.tif 000004
【図４】
0004004728.tif 000005
【図５】
0004004728.tif 000006
【図６】
0004004728.tif 000007
【図７】
0004004728.tif 000008
【図８】
0004004728.tif 000009
【図９】
0004004728.tif 000010
【図１０】
0004004728.tif 000011